(57)【特許請求の範囲】
【請求項１】
開口部を有する筐体と、
前記筐体内部に設けられ、複数の押圧スイッチを有するキー基板と、
前記複数の押圧スイッチに被せられ、前記筐体内部に設けられるキーシートと、
前記キーシート上に前記複数の押圧スイッチに対応して設けられ、前記開口部から露出する複数のキートップと、
を備え、
前記キーシートは、前記筐体に取り付けられた際に、前記キートップを有する部位が筐体内側方向に付勢されるように構成してあるとともに、前記キートップが設けられるシート部材と、前記シート部材とは接着されずに前記シート部材に積層的に配置されるインナーフレームと、を含んで構成されている
携帯電子機器。
【請求項２】
請求項１において、前記インナーフレームは、前記シート部材よりも弾性係数が高い携帯電子機器。
【請求項３】
請求項１又は２において、前記インナーフレームは、前記シート部材の前記キートップが設けられる側の面に配置されている携帯電子機器。
【請求項４】
請求項３において、前記シート部材には、前記キートップが載置される突出部が複数形成され、
前記インナーフレームは、前記突出部を貫通させる孔部が複数形成されている携帯電子機器。
【請求項５】
請求項１〜４のいずれか１項において、前記キーシートは前記開口部の縁部に係止されると共に、前記キーシートの前記キートップが設けられた面と反対側の面のうち、前記キートップの設けられる部分が、前記開口部の縁部に係止される部分よりも筐体内方にあることを特徴とする携帯電子機器。
【請求項６】
請求項１〜５のいずれか１項において、前記開口部の縁部には、前記キーシート側へ突出し、前記筐体内に前記キーシートが取り付けられた際に、前記キーシートを筐体内部方向に付勢する第１突起が設けられている携帯電子機器。
【請求項７】
請求項６において、前記第１突起よりも前記開口部外周側の位置に、前記キーシートを筐体外側方向に付勢する第２突起が、前記キーシートの前記キートップの設けられた面と反対側の面から前記キー基板側へ突出して、若しくは、前記キーシートのキー基板側の面に面する部品から前記キーシート側へ突出して設けられている携帯電子機器。
【請求項８】
請求項１〜７のいずれか１項において、前記複数のキートップは、互いに連続して設けられ、前記開口部にて露出する際に、隣り合うキートップ間には何も介在させないよう構成される携帯電子機器。
【請求項９】
請求項４において、前記複数のキートップは、それぞれ、前記開口部からの露出面が前記突出部の天面よりも大きく、前記開口部にて露出する際に、隣り合うキートップ間には何も介在させないよう構成される携帯電子機器。
【請求項１０】
開口部を有する筐体と、
前記筐体内部に設けられ、複数の押圧スイッチを有するキー基板と、
前記複数の押圧スイッチに被せられ、前記筐体内部に設けられるキーシートと、
前記キーシート上において前記複数の押圧スイッチに対応して設けられ、前記開口部から露出する複数のキートップと、
を備え、
前記キーシートは、前記キー基板側へ凸に曲げる方向の曲げモーメントを、前記開口部の外周側から付与された状態で保持されているとともに、前記キートップが設けられるシート部材と、前記シート部材とは接着されずに前記シート部材に積層的に配置されるインナーフレームと、を含んで構成されている
携帯電子機器。
【請求項１１】
開口部を有する筐体と、
前記筐体内部に設けられ、複数の押圧スイッチを有するキー基板と、
前記複数の押圧スイッチに被せられるように前記キー基板上に配され、前記筐体内部に設けられるキーシートと、
前記キーシート上において前記複数の押圧スイッチに対応して設けられ、前記開口部から露出する複数のキートップと、
を備え、
前記キーシートは、前記筐体内に配置される前においては前記複数のキートップが設けられる側の面が前記複数のキートップが設けられる部分の周囲に比べて凹となるように形成されており、前記筐体内に配置された後においては、前記開口部の内周側において前記キー基板から受ける前記キートップ側への力と、前記開口部の外周側において受ける前記キー基板側への力とにより、弾性変形した状態で保持されており、前記キートップが設けられるシート部材と、前記シート部材とは接着されずに前記シート部材に積層的に配置されるインナーフレームと、を含んで構成されている
携帯電子機器。
【発明の詳細な説明】
【技術分野】
【０００１】
本発明は、携帯電話機等の携帯電子機器及び当該携帯電子機器等に用いられるキーシートに関する。
【背景技術】
【０００２】
携帯電子機器において、筐体から露出する複数のキートップを、ゴム等により構成された１枚のキーシート上に配置する技術が知られている（例えば特許文献１及び２）。
【０００３】
特許文献１の携帯電話機では、複数のキートップは、各キートップに対応して筐体に設けられた複数の開口部からそれぞれ露出しており、各キートップの縁部が各開口部の縁部に係合することにより、キートップの筐体外部側への浮き上がりが防止されている。
【０００４】
しかし、キートップに対応して複数の開口部を設けることは、キートップ間に筐体と一体構成されるフレームを介在させることであるから、キートップの配置領域の大型化、或は、キートップの露出面積の小型化を招き、操作性を保ちつつ小型化を図ることが困難である。
【０００５】
そこで、一の開口部から複数のキートップを露出させる、いわゆる狭ピッチキーが知られている。
【０００６】
しかし、狭ピッチキーでは、中央側のキートップは、周囲が他のキートップに囲まれ、キートップの縁部と筐体開口部の縁部とを係合させることができない。従って、複数のキートップの中央側においては、キートップがキーシートと共に浮き上がることがある。
【０００７】
特許文献２の携帯電話機では、この問題に鑑み、ゴムラバーからなるキーシート上（キーシートのキートップが設けられている側）にフレーム状の樹脂部材を積層し、樹脂部材によりキーシート、ひいてはキートップの浮き上がりを抑止している。また、特許文献２では、ゴムラバーの下にフレーム状の樹脂部材を接着することによりキーシートの浮き上がりを抑止する技術も開示されている。
【特許文献１】特開２００３−８７０８号公報
【特許文献２】特開２００５−１２３７４２号公報
【発明の開示】
【発明が解決しようとする課題】
【０００８】
しかし、ゴムラバーのキーシートを樹脂部材により補強して浮き上がりを抑止する場合、ゴムラバーの浮きを十分に抑えられるように樹脂部材の剛性を高くすると、樹脂部材が厚くなるなどし、携帯電子機器の薄型化、軽量化等に不利な場合がある。また、熱膨張等により、樹脂部材自体が浮き上がってしまう場合もある。
【０００９】
本発明の目的は、狭ピッチキーでもキーシートの浮きをより確実に防止できる携帯電子機器及びキーシートを提供することにある。
【課題を解決するための手段】
【００１０】
本発明の第１の観点の携帯電子機器は、開口部を有する筐体と、前記筐体内部に設けられ、複数の押圧スイッチを有するキー基板と、前記複数の押圧スイッチに被せられ、前記筐体内部に設けられるキーシートと、前記キーシート上に前記複数の押圧スイッチに対応して設けられ、前記開口部から露出する複数のキートップと、を備え、前記キーシートは、前記筐体に取り付けられた際に、前記キートップを有する部位が筐体内側方向に付勢されるように構成してある。
【００１１】
好適には、前記キーシートは前記開口部の縁部に係止されると共に、前記キーシートの前記キートップが設けられた面と反対側の面のうち、前記キートップの設けられる部分が、前記開口部の縁部に係止される部分よりも筐体内方にある。
【００１２】
好適には、前記開口部の縁部には、前記キーシート側へ突出し、前記筐体内に前記キーシートが取り付けられた際に、前記キーシートを筐体内部方向に付勢する第１突起が設けられている。
【００１３】
好適には、前記第１突起よりも前記開口部外周側の位置に、前記キーシートを筐体外側方向に付勢する第２突起が、前記キーシートの前記キートップの設けられた面と反対側の面から前記キー基板側へ突出して、若しくは、前記キーシートのキー基板側の面に面する部品から前記キーシート側へ突出して設けられている。
【００１４】
好適には、前記キーシートは、前記キートップが設けられるシート部材と、前記シート部材よりも弾性係数が高く、前記シート部材に積層的に配置されるインナーフレームとを含んで構成されている。
【００１５】
好適には、前記インナーフレームは、前記シート部材の前記キートップが設けられる側の面に配置されている。
【００１６】
好適には、前記シート部材には、前記キートップが載置される突出部が複数形成され、前記インナーフレームは、前記突出部を貫通させる孔部が複数形成されている。
【００１７】
好適には、前記複数のキートップは、互いに連続して設けられ、前記開口部にて露出する際に、隣り合うキートップ間には何も介在させないよう構成される。
【００１８】
好適には、前記複数のキートップは、それぞれ、前記開口部からの露出面が前記突出部の天面よりも大きく、前記開口部にて露出する際に、隣り合うキートップ間には何も介在させないよう構成される。
【００１９】
本発明の第２の観点の携帯電子機器は、開口部を有する筐体と、前記筐体内部に設けられ、複数の押圧スイッチを有するキー基板と、前記複数の押圧スイッチに被せられ、前記筐体内部に設けられるキーシートと、前記キーシート上において前記複数の押圧スイッチに対応して設けられ、前記開口部から露出する複数のキートップと、を備え、前記キーシートは、前記キー基板側へ凸に曲げる方向の曲げモーメントを、前記開口部の外周側から付与された状態で保持されている。
【００２０】
本発明の第３の観点の携帯電子機器は、前記筐体内部に設けられ、複数の押圧スイッチを有するキー基板と、前記複数の押圧スイッチに被せられるように前記キー基板上に配され、前記筐体内部に設けられるキーシートと、前記キーシート上において前記複数の押圧スイッチに対応して設けられ、前記開口部から露出する複数のキートップと、を備え、前記キーシートは、前記開口部の内周側において前記キー基板から受ける前記キートップ側への力と、前記開口部の外周側において受ける前記キー基板側への力とにより、弾性変形した状態で保持されている。
【００２１】
本発明の第４の観点のキーシートは、筐体に形成された開口部から露出する複数のキートップを有するキーシートであって、前記複数のキートップが設けられる側の面が前記複数のキートップの設けられる部分の周囲に比べて凹となるように形成され、前記複数のキートップは、互いに連続して設けられ、前記開口部にて露出する際に、隣り合うキートップ間には何も介在させないよう構成されている。
【００２２】
好適には、前記キートップが設けられるシート部材と、前記シート部材よりも弾性係数が高く、前記シート部材に積層的に配置されるインナーフレームと、を含んで構成されている。
【００２３】
好適には、前記インナーフレームは、前記シート部材の前記キートップが設けられる側の面に配置されている。
【００２４】
好適には、前記シート部材には、前記キートップが載置される突出部が複数形成され、前記インナーフレームは、前記突出部を貫通させる孔部が複数形成されている。
【００２５】
好適には、前記複数のキートップは、それぞれ、前記開口部からの露出面が前記突出部の天面よりも大きい。
【発明の効果】
【００２６】
本発明によれば、狭ピッチキーでもキーシートの浮きをより確実に防止できる。
【発明を実施するための最良の形態】
【００２７】
（第１の実施形態）
図１及び図２は、本発明の第１の実施形態に係る携帯電話機１を示す外観斜視図である。携帯電話機１はいわゆる折り畳み式の携帯電話機として構成されており、図１は開状態を、図２（ａ）及び図２（ｂ）は閉状態をそれぞれ示している。
【００２８】
携帯電話機１は、受話筐体２と、送話筐体３とを備えている。受話筐体２及び送話筐体３は、それぞれの端部が連結部４により連結されており、携帯電話機１は、連結部４側を回動の中心として開閉可能である。受話筐体２及び送話筐体３は、それぞれ概ね薄型直方体に形成されており、閉状態では互いに重ね合わされ、一方の筐体側から他方の筐体側を見たときに互いの輪郭が略一致するようになっている。
【００２９】
受話筐体２は、閉状態で送話筐体３に対向する面側の正面側ケース６と、その背面側の背面側ケース７とを備えている。正面側ケース６及び背面側ケース７は、例えば樹脂によりそれぞれ成形されている。受話筐体２の正面側ケース６には、通話用のスピーカの放音口１３が開口している。
【００３０】
受話筐体２には、正面に画像を表示するメイン表示部１１と、背面に画像を表示するサブ表示部１２とが設けられている。メイン表示部１１及びサブ表示部１２は、例えば液晶表示ディスプレイによって構成されている。
【００３１】
送話筐体３は、閉状態で受話筐体２に対向する面側の正面側ケース８と、その背面側の背面側ケース９と、背面側ケース９の背面側に被せられる蓋体１０とを備えている。正面側ケース８、背面側ケース９及び蓋体１０は、例えば樹脂によりそれぞれ成形されている。送話筐体３の正面側ケース８には通話用のマイクの集音口１８が開口し、蓋体１０には報知用スピーカの放音口１９が開口している。
【００３２】
送話筐体３には、ユーザの操作を受け付ける操作部１７が設けられている。操作部１７は、キートップとして、多方向キー５１、決定キー５２、ダイヤルキー５３、ファンクションキー５４を備えており、これらの各種キーは正面側ケース８より露出している。なお、以下では、操作部１７の説明において、受話筐体２を上側に、送話筐体３を下側にして操作部１７を正面から見たときの上下左右を、操作部１７の上下左右として説明することがある。
【００３３】
図３は、送話筐体３内部の概略構成を示す分解斜視図である。送話筐体３においては、正面側ケース８、キーアセンブリ２１、基板アセンブリ２２、背面側ケース９、蓋体１０の順に積層される。キーアセンブリ２１及び基板アセンブリ２２は、正面側ケース８と背面側ケース９とをねじ等により互いに固定することにより、正面側ケース８及び背面側ケース９に挟まれて固定される。なお、正面側ケース８の開口周縁内側や背面側ケース９には、その内側にキーアセンブリ２１や基板アセンブリ２２を上下左右方向において位置決めするための不図示のボス等が設けられている。
【００３４】
基板アセンブリ２２は、基板２６と、基板２６のキーアセンブリ２１側に被せられるシールドケース２７と、シールドケース２７上に配置されるフレキシブルプリント配線板（ＦＰＣ、キー基板）２８とを備えている。
【００３５】
基板２６は、例えば、硬質の樹脂をベースとした回路基板により構成されている。基板２６には、無線通信を行うための高周波回路、携帯電話機１全体の動作を制御する制御回路等、各種の電子回路、電気素子が設けられている。
【００３６】
シールドケース２７は、例えば金属により形成されており、基板２６に被せられるとともに基板２６のグランド層に電気的に接続され、高周波回路等の基板２６に設けられた各種の電子回路や電気素子をシールドしている。シールドケース２７は、例えば略矩形の箱体状に形成され、基板２６に平行でＦＰＣ２８が載置される天面及び天面の周囲を囲む側面を有している。シールドケース２７の内部には、各種電子回路や電気素子を区画するリブ２７ａ（図６参照）が設けられている。
【００３７】
ＦＰＣ２８は、キーアセンブリ２１側に、複数の押圧スイッチ３１と、複数のＬＥＤ（発光素子）３２とを備えている。ＦＰＣ２８は不図示の信号線を介して基板２６と電気的に接続されており、押圧スイッチ３１の押圧に対応する信号を基板２６の制御回路に出力する。
【００３８】
押圧スイッチ３１は、例えば、多方向キー５１の上下左右に対応して４個、決定キー５２に対応して１個、１個のダイヤルキー５３に対応して１個（合計１５個）、１個のファンクションキー５４に対応して１個（合計４個）配置されている。
【００３９】
図４（ａ）は、筐体外部側から見たキーアセンブリ２１の斜視図、図４（ｂ）は、筐体内部側から見たキーアセンブリ２１の斜視図、図５は、キーアセンブリ２１の分解斜視図である。なお、以下において、各種構成要素の図４（ａ）紙面上方側の面を天面、その裏側、すなわち、図４（ｂ）紙面上方側の面を裏面ということがある。
【００４０】
キーアセンブリ２１は、キーシート２４の天面に、各種キー５１〜５４が接合されて構成されている。キーシート２４は、シート部材３５と、インナーフレーム３６と、光拡散シート３７とが積層されて構成されている。
【００４１】
各種キー５１〜５４（キートップ）は、例えばＡＢＳ樹脂などの硬質の材質により形成されている。決定キー５２、ダイヤルキー５３及びファンクションキー５４は透光性を有し、ＬＥＤ３２からの光を透過可能である。なお、多方向キー５１も透光性を有していてもよい。各種キー５１〜５４は、互いに隣接（連続）して配置されている。具体的には、多方向キー５１の中央の開口部５１ａに決定キー５２が配置され、多方向キー５１の左右に２つずつファンクションキー５４が隣接し、多方向キー５１及びファンクションキー５４の下方にはダイヤルキー５３が隣接している。ダイヤルキー５３は、５行３列のマトリックス状に配列されている。各種キー５１〜５４は、互いの縁部の形状が一致するように形成されており、また、側面は押圧方向に略平行であり、各種キー５１〜５４間の隙間は比較的小さく、実質隣接している。
【００４２】
そして、各種キー５１〜５４は、図１及び図３に示すように、正面側ケース８に設けられた開口部８ａから共に露出する。換言すれば、各種キー５１〜５４の間には何も介在しない。従って、各種キー５１〜５４のうち中央側のキーは、他のキーに囲まれるため、開口部８ａの縁部に係合することができず、開口部８ａの縁部によっては浮き上がりを防止することはできない。
【００４３】
シート部材３５は、例えばシリコンゴムなどの軟質の材質により形成されている。また、シート部材３５は、透光性を有し、ＬＥＤ３２からの光を透過可能である。シート部材３５は、図５に示すように、概ね矩形のシート状に形成され、各種キー５１〜５４に対応する位置に、換言すれば、押圧スイッチ３１に対応する位置に、各種キー５１〜５４側へ突出する突出部３８〜４２を複数有している。
【００４４】
具体的には、多方向キー５１の上下左右に対応する位置に４個の突出部３８が、その間の方向に４個の突出部３９が、決定キー５２に対応する位置に突出部４０が、ダイヤルキー５３に対応する位置に突出部４１が、ファンクションキー５４に対応する位置に突出部４２が設けられている。なお、突出部３９は、多方向キー５１を斜め押ししたときの多方向キー５１の浮き上がりを防止するためのものであり、突出部３９に対応する押圧スイッチ３１は設けられていない。
【００４５】
突出部３８〜４２の各種キー５１〜５４側への突出量は互いに略同一である。また、突出部３８〜４２の天面側の面積は、各種キー５１〜５４の天面側の面積よりも小さい。換言すれば、突出部３８〜４２の天面は、各種キー５１〜５４に覆われ、各種キー５１〜５４の隙間から視認されない。例えば、突出部３８及び突出部３９の面積は、多方向キー５１の面積を突出部の数で割った（８等分した）広さの５割〜９割程度であり、突出部４０〜４２の面積は、それぞれ各種キー５２〜５４の面積の５割〜９割程度である。
【００４６】
図４（ｂ）及び図５に示すように、突出部３８〜４２は、シート部材３５の天面側へ突出するとともに、突出部３８〜４２の厚さは、突出部以外の部分よりも厚く形成され（図６も参照）、その裏側を窪ませるように形成されている。
【００４７】
ダイヤルキー５３に対応する突出部４１、及び、ファンクションキー５４に対応する突出部４２は、突出側の形状と、窪み側の形状は略同じである。ただし、窪み側のサイズは少し小さい。また、窪み側の略中央には、各種キー５１〜５４とは反対側に突出し、押圧スイッチ３１に当接する押し子４４が形成されている。押し子４４は押圧スイッチ３１に対して当接又は所定の微小隙間で対向する。
【００４８】
多方向キー５１に対応する突出部３８及び３９、並びに、決定キー５２に対応する突出部４０においては、これらの突出部３８〜４０に亘る広さの凹部４３（図４（ｂ））が裏面側に形成されている。凹部４３には、突出部３８の略中央及び突出部４０の略中央となる位置に、各種キー５１〜５４とは反対側に突出する押し子４４が形成されている。
【００４９】
各種キー５１〜５４は、突出部３８〜４２に対して接合される。接合は例えば接着剤により行われる。多方向キー５１は、４個の突出部３８に接合されるとともに、４個の突出部３９にも接合される。各種キー５１〜５４が押下されると、押し子４４が押圧スイッチ３１を押圧する。
【００５０】
突出部４１の４隅側等には、ＬＥＤ３２を収納するための複数の凹部４６（図４（ｂ））が設けられている。また、凹部４３にも、突出部３９の配置位置に、ＬＥＤ３２等を収納する凹部４５が設けられている。
【００５１】
シート部材３５の外周には、基板アセンブリ２２に螺合される不図示のねじを挿通するための貫通孔４７や、背面側ケース９のネジボス等に嵌合する切り欠き部４８が設けられている。なお、後述するように、キーアセンブリ２１は、正面側ケース８及び基板アセンブリ２２により、外周側が浮き上がるように挟持されるから、貫通孔４７に挿通されるねじは、シート部材３５を基板アセンブリ２２に対して堅固に固定するように螺合されずに、キーアセンブリ２１が基板アセンブリ２２に対して積層方向に微小量移動できるように螺合されてもよいし、省略されてもよい。
【００５２】
インナーフレーム３６は、シート部材３５よりも弾性係数（剛性）が高い材料で形成されている。例えば、シート部材３５がシリコンゴムにより形成されているのに対し、インナーフレーム３６は、ポリカーボネイト等の樹脂により形成されている。すなわち、それぞれの材料の硬度は、各種キー５１〜５４をｘ、インナーフレーム３６をｙ、シート部材３５をｚとすると、ｘ＞ｙ＞ｚとの関係が成り立っている。また、インナーフレーム３６は、ＬＥＤ３２からの光を透過可能な材質により形成されている。
【００５３】
インナーフレーム３６は、シート部材３５と同程度の広さのシート状に形成されている。そして、インナーフレーム３６には、突出部３８〜４２が貫通する開口部４９が複数形成されている。開口部４９の形状は、例えば、突出部３８〜４２が嵌合する形状である。インナーフレーム３６は、シート部材３５に対して接合されない。ただし、接着剤等によりシート部材３５に接合してもよい。接合しない場合には組立工程が簡略化され、接合する場合にはキーアセンブリ２１全体の剛性が向上する。
【００５４】
光拡散シート３７は、例えば、光を透過可能な樹脂等に乳白色の光拡散物質が混入されて形成されており、光拡散シート３７を透過する光を拡散可能である。光拡散シート３７は、例えば平面視においてインナーフレーム３６と同様の形状に形成され、突出部３８〜突出部４２が貫通する開口部５０を複数有している。光拡散シート３７は、インナーフレーム３６に対して接合されてもよいし、接合されなくてもよい。
【００５５】
図６（ａ）は、図１のＶＩ−ＶＩ線矢視方向における断面図であり、図６（ｂ）は、図６（ａ）の領域Ａの拡大図である。
【００５６】
上述のように、携帯電話機１では、基板２６上に、順に、シールドケース２７、ＦＰＣ２８（図６（ｂ））、シート部材３５、インナーフレーム３６、光拡散シート３７（図６では図示を省略）、正面側ケース８が積層されている。また、シート部材３５の突出部４１はインナーフレーム３６を貫通し、突出部４１上に設けられたダイヤルキー５３は正面側ケース８の開口部８ａから露出している。
【００５７】
キーシート２４（シート部材３５、インナーフレーム３６、光拡散シート３７）は、携帯電話機１の筐体に組み込まれる前は平面状である。そして、キーシート２４は、携帯電話機１の筐体に組み込まれると、線Ｌ１で示すように、中央側が縁部側に対して基板２６側へ撓んだ（弾性変形した）状態で保持される。換言すれば、キーシート２４の断面は、ダイヤルキー５３の設けられる部分の特に周縁部分が、開口部８ａの縁部に係止される部分よりも筐体内側方向に湾曲した状態となっている。
【００５８】
なお、線Ｌ１は、キーシート２４が撓んでいる状態を概念的に示すものであり、キーシート２４の撓みをやや誇張して示している。逆に、キーシート２４は、線Ｌ１との比較のために、撓んでいない状態で示している。
【００５９】
キーシート２４を撓ませる曲げモーメントＭ１は、正面側ケース８の開口部８ａの縁部に設けられた第１突起８ｂと、第１突起８ｂよりも開口部８ａの外周側（第１突起８ｂの設けられる部分に対してキートップとは反対側）において、シールドケース２７の天面に設けられた第２突起２７ｂとによってキーシート２４に付与されている。換言すれば、曲げモーメントＭ１は、開口部８ａの外周側において付与されている。
【００６０】
第１突起８ｂは、例えば樹脂により形成され、正面側ケース８の射出成形時に他の部分と一体的に形成される。第１突起８ｂは、キーシート２４側（筐体内部側）へ突出している。第１突起８ｂは、例えば、開口部８ａの縁部に沿って延びる突条に形成されており、開口部８ａの全周に亘って設けられている。第１突起８ｂの断面形状は適宜に設定してよいが、例えば、略直角三角形に形成されている。三角形の図６（ｂ）の紙面左側の一辺は、開口部８ａを形成しており、ダイヤルキー５３の押圧方向（紙面上下方向）に平行である。三角形の図６（ｂ）の紙面右側の一辺は、ダイヤルキー５３の押圧方向に傾斜しており、第１突起８ｂの裾野を形成している。三角形の頂部は曲線状に面取りされている。
【００６１】
第２突起２７ｂは、例えば、金属により形成され、シールドケース２７の他の部分と一体的に設けられている。例えば、板金を、シールドケース２７の天面と、天面の周囲の側面とに折り曲げ加工する際に、折り目が天面側に突出するように加工することにより形成される。第２突起２７ｂは、キーシート２４側に突出し、ＦＰＣ２８の厚さよりも高く、キーシート２４に当接する。第２突起２７ｂは、例えばシールドケース２７の天面の縁部に沿って延びる突条に形成されており、シールドケース２７の全周に亘って設けられている。この第２突起２７ｂは一例としてシールドケース２７に設けているが、ＦＰＣ２８上に設けてもよく、要は、開口部にキートップ、その開口周縁部に第１突起８ｂ、さらに外周部に第２突起２７ｂが配され、かつ、第１突起８ｂがキーシート２４の表側（キートップの設けられる側）を、第２突起２７ｂが裏側を押さえつけることができる位置であればよい。
【００６２】
正面側ケース８を背面側ケース９に対して合体させると、第１突起８ｂは、光拡散シート３７（図６では不図示）に当接してキーシート２４に筐体内側方向への力Ｆ１を加える。キーシート２４は、シート部材３５に当接している第２突起２７ｂから、反力として、筐体外側方向への力Ｆ２を受ける。第２突起２７ｂは、第１突起８ｂから外周側にずれた位置に配置されているから、キーシート２４は、ＦＰＣ２８側へ凸に曲げる方向の曲げモーメントＭ１を縁部側において付与されることになる。
【００６３】
曲げモーメントＭ１は、キーシート２４の中央側へ伝達され、キーシート２４の中央側を筐体内側方向へ付勢する力として働く。換言すれば、キーシート２４は、携帯電話機１の筐体に取り付けられた際に、キートップ（ダイヤルキー５３等）が筐体内側方向に付勢されるよう開口部８ａの縁部にて係止される。従って、キーシート２４がＦＰＣ２８に押さえつけられる形となり、中央側のダイヤルキー５３の浮き上がりが防止される。
【００６４】
キーシート２４は、自重及び曲げモーメントＭ１により、中央側が撓み、ＦＰＣ２８に当接している。ＦＰＣ２８はシールドケース２７の平面状の天面に支持されている。従って、キーシート２４は、中央側においてはＦＰＣ２８を介してシールドケース２７に支持されて平面状であり、その外周側において湾曲している。このため、全体としては湾曲しつつも、ダイヤルキー５３の配置位置においては平面状であり、ダイヤルキー５３は平面的に配置されている。なお、第１突起８ｂ及び第２突起２７ｂは開口部８ａの全周に亘って設けられているから、キーシート２４は、すり鉢状（球面状）に湾曲し、かつ、ＦＰＣ２８に当接するキートップの設けられる領域はＦＰＣ２８あるいはシールドケース２７天面にて湾曲が補正されて平面となる。
【００６５】
図６では、キートップ（各種キー５１〜５４）の代表として、ダイヤルキー５３を図示して説明したが、他のキートップについても、キーシート２４に曲げモーメントＭ１が付与されることにより、浮き上がりが防止されることは同様である。
【００６６】
シート部材３５の縁部には、天面側に突出する突条部３５ｃが設けられている。前面側ケース８の筐体内側には、キーシート２４側に突出し、突条部８ｃの内周側に係合可能な突条部８ｃが設けられている。突条部３５ｃ及び突条部８ｃは、図６（ｂ）では係合していないが、キーシート２４が線Ｌ１で示すように湾曲した場合に係合し、キーシート２４の弛み及びキーシート２４の浮き上がりを防止する。これにより、第２突起２７ｂを支点として突条部８ｃによる紙面下方向の力が、第２突起２７ｂを挟んで反対側において上方向の力となり、さらにこの上方向の力が、第１突起８ｂを支点として反対側のキートップの設けられる領域において下方向の力となり、キーシート２４をＦＰＣ２８側に押さえつける力が増すことになる。
【００６７】
以上の第１の実施形態によれば、キーシート２４は、送話筐体３に取り付けられた際に、各種キー５１〜５４が筐体内側方向に付勢されるよう開口部８ａの縁部にて係止されるから、各種キー５１〜５４を付勢する力によりキーシート２４及び各種キー５１〜５４の浮きが防止される。また、付勢力は縁部の係止によって生じるから、浮き上がり防止のために各種キー５１〜５４間に筐体と連続して形成されるフレームを介在させて各種キー５１〜５４を筐体に係合させる必要がない。従って、いわゆる狭ピッチキーにおいても浮き上がりを防止できる。浮き上がりの防止によって、キートップのストロークのばらつきによる操作時のフィーリング不良の抑制や、閉状態におけるキートップと表示部１１との接触の抑制等の効果が得られる。
【００６８】
キーシート２４は、その断面において、各種キー５１〜５４の設けられる部分の特に周縁部が、開口部８ａの縁部に係止される部分よりも筐体内側方向に湾曲している。具体的には、送話筐体３に組み込まれていないときに平面状のキーシート２４が、送話筐体３に組み込まれることにより曲げモーメントＭ１が付与されて湾曲している。従って、曲げモーメントＭ１が各種キー５１〜５４を付勢する力として働き、キートップの浮き上がりが防止される。さらに、従来のように、平面状のキーシート２４の利用が可能である。
【００６９】
開口部８ａの縁部には、第１突起８ｂが設けられ、送話筐体３内にキーシート２４が取り付けられた際に、第１突起８ｂによりキーシート２４が筐体内部方向に付勢される。従って、送話筐体３の組み立てと同時にキーシート２４を付勢することになり、組立工程が簡略化される。
【００７０】
第１突起８ｂよりも開口部８ａ外周側の位置に、キーシート２４を筐体外側方向に付勢する第２突起２７ｂが、ＦＰＣ２８側からキーシート２４側へ突出して設けられていることから、キーシート２４をＦＰＣ２８（シールドケース２７）に載置することにより、第２突起２７ｂからの付勢力を得て、第１突起８ｂ及び第２突起２７ｂによる曲げモーメントＭ１を得ることができ、構成が簡単である。
【００７１】
キーシート２４は、キートップが設けられるシート部材３５と、シート部材３５よりも弾性係数が高く、シート部材３５に積層的に配置され、シート部材３５を介してキートップを筐体内側方向に付勢するインナーフレーム３６とを含んで構成されている。すなわち、インナーフレーム３６により剛性が確保されるから、小さな撓みで比較的大きな曲げモーメントＭ１がキーシート２４の中央側に伝達され、浮き上がりが確実に防止されるとともに、キートップの天面を平面状に揃えることが容易となる。また、インナーフレーム３６も第１、第２突起がないときに比して強度が小さく済むので、厚さを抑えることができる。
【００７２】
また、インナーフレーム３６は、シート部材３５のキートップが設けられる側の面に配置されているから、インナーフレーム３６とシート部材３５とを接着しなくても、シート部材３５の浮き上がりをインナーフレーム３６により抑止できる。
【００７３】
各種キー５１〜５４は、それぞれ開口部８ａからの露出面が突出部３８〜４２の天面よりも大きく、開口部８ａから露出する際に、各種キー５１〜５４間に何も介在させないように構成されるから、操作部１７を小型化しつつ、各種キー５１〜５４の表面積を大きくして操作性を向上できる。その一方で突出部３８〜４２間には、弾性変形した突出部３８〜４２が収納されるスペースを確保できる。
【００７４】
（第２の実施形態）
図７は、第２の実施形態の携帯電話機１０１を示す断面図である。なお、第１の実施形態と同一の構成については、第１の実施形態と同一符号を付す。
【００７５】
第２の実施形態のキーシート１２４は、送話筐体３に組み込まれていないとき、線Ｌ２で示すように、ＦＰＣ２８側を凸とする曲面状（球面状）である。そして、キーシート２４は、送話筐体３に組み込まれたときには、開口部８ａの外周側において正面側ケース８の第１突起８ｂからＦＰＣ２８への力Ｆ３を受けるとともに、開口部８ａの内周側においてＦＰＣ２８を介してシールドケース１２７からの反力としての力Ｆ４を受ける。なお、シールドケース１２７には、第１の実施形態の第２突起２７ｂに対応する突起は設けられていない。従って、キーシート１２４は、力Ｆ３及びＦ４により生じた、ＦＰＣ２８側に凹に曲げる曲げモーメントＭ２を受けて弾性変形し、略平面状になった状態で送話筐体３に組み込まれる。ただし、第２突起２７ｂを設けることもできる。
【００７６】
キーシート１２４は、曲げモーメントＭ２に対する反力として、ＦＰＣ２８側を凸とする曲げモーメントを生じている。つまり、弾性変形により、第１突起８ｂに支持された縁部側に対して、中央側をＦＰＣ２８側に付勢する復元力Ｆ４′（＝−Ｆ４）を生じている。換言すれば、キーシート１２４は、送話筐体３に取り付けられた際に、キートップが筐体内側方向に付勢されるよう開口部８ａの縁部にて係止される。従って、付勢力によりキートップの浮き上がりが防止される。
【００７７】
このような筐体に組み込まれていない（外力を付与されていない）とき湾曲しているキーシート１２４は、種々の方法により形成可能である。
【００７８】
例えば、２色成形特有の２材質間の収縮率を利用する方法がある。例えば、硬化時の収縮率の異なる２種類の熱可塑性樹脂を積層するように射出成形を行ってインナーフレーム１３６を形成することにより、湾曲したキーシート１２４を形成することができる。
【００７９】
また、例えば、熱可塑性樹脂によりインナーフレーム１３６を平面状に射出成形しておき、その後に加熱しつつ曲げモーメントを付与することにより変形させるなど、いわゆるアニールによって形成することもできる。
【００８０】
以上の第２の実施形態によれば、第１の実施形態と同様の効果が得られる。すなわち、キーシート１２４は、送話筐体３に取り付けられた際に、各種キー５１〜５４が筐体内側方向に付勢されるよう開口部８ａの縁部にて係止されるから、各種キー５１〜５４を付勢する力によりキーシート１２４及び各種キー５１〜５４の浮きが防止される。また、付勢力は縁部の係止によって生じるから、浮き上がり防止のために各種キー５１〜５４間に筐体を介在させて各種キー５１〜５４を筐体に係合させる必要がない。従って、いわゆる狭ピッチキーにおいても浮き上がりを防止できる。
【００８１】
キーシート１２４は、その断面において、各種キー５１〜５４の設けられる部分が、開口部８ａの縁部に係止される部分よりも筐体内側方向に湾曲している。具体的には、キーシート１２４は、送話筐体３への組み込み前に湾曲している。従って、キーシート１２４は、送話筐体３に組み込まれて平面状になった状態で復元力Ｆ４′を生じ、キートップの浮き上がりが防止され、また、キートップを平面状に配列することが容易になる。
【００８２】
開口部８ａの縁部には、第１突起８ｂが設けられ、送話筐体３内にキーシート１２４が取り付けられた際に、第１突起８ｂによりキーシート１２４が筐体内部方向に付勢される。従って、送話筐体３の組み立てと同時にキーシート１２４の復元力を生じさせることができ、組立工程が簡略化される。
【００８３】
キーシート１２４は、キートップが設けられるシート部材１３５と、シート部材１３５よりも弾性係数が高く、シート部材１３５に積層的に配置され、シート部材１３５を介してキートップを筐体内側方向に付勢するインナーフレーム１３６とを含んで構成されている。すなわち、インナーフレーム１３６により剛性が確保されるから、小さな弾性変形で比較的大きな曲げモーメントＭ２がキーシート１２４に生じる。従って、浮き上がりが確実に防止される。
【００８４】
本発明は、以上の実施形態に限定されず、種々の態様で実施してよい。
【００８５】
本発明が適用される電子機器は、キートップを有するものであればよく、携帯電話機に限定されない。本発明は、ノートパソコンやＰＤＡ等の携帯電子機器の他、産業用機械の操作パネルや自動車の操作パネル等、種々の電子機器に利用できる。
【００８６】
キーシートの湾曲は、キーシートの少なくとも一部が、所定の方向において湾曲していればよい。従って、中央が縁部全周に対して突出するような球面状の湾曲に限定されず、直線状の尾根を形成するように湾曲していてもよいし、実施形態のように、中央側が基板に当接するなどして平面状になっていてもよい。
【００８７】
キーシートへの曲げモーメントの付与は、適宜な方法で行ってよく、第１突起、第２突起によるものに限定されない。例えば、第１突起に代えて、キーシートに挿通され、キー基板に螺合されるねじにより、キーシートをキー基板側へ付勢する力を生じさせてもよい。
【００８８】
第１突起、第２突起は、キートップを露出させる開口部の全周に亘って設けられていなくてもよい。例えば、開口部が楕円や長方形である場合、長手方向においてキーシートの撓み（浮き上がり）が生じやすいから、開口部の長手方向において対向する縁部側においてのみ第１突起や第２突起を設けるようにしてもよい。また、第１突起、第２突起は、突条部でなくてもよく、例えば、複数の凸部を開口部の周囲に配列するようにしてもよい。
【００８９】
第２突起は、第１突起よりも外周側においてキーシートをキー基板に対して離間させて支持することができればよく、シールドケースに設けられるものに限定されない。例えば、キーシートに設けられ、キー基板側に突出するものでもよい。また、キーシートが載置されるＦＰＣや樹脂基板等の基板に設けられ、キーシート側へ突出するものでもよい。
【００９０】
第１突起、第２突起は、筐体やシールドケースに一体成形されるものに限定されない。例えば、線状のゴムを開口部の縁部やシールドケース天面の縁部に接着剤等により固定して第１突起、第２突起を設けるなど、後付であってもよい。
【００９１】
インナーフレームは、必須の要件ではなく、また、シート部材のキー基板側に設けられていてもよい。図８に示すように、突出部３８〜４２に対応する位置に開口部２３６を有するインナーフレーム２３６を、シート部材３５の筐体内部側に接合してキーシートを構成してもよい。この場合、突出部３８〜４２のストロークを確保しやすい。
【００９２】
第１実施形態と第２実施形態とを組み合わせてもよい。例えば、筐体に組み込まれる前において、中央側ほどキートップ側を凹として湾曲し（中央側ほど曲率が高く、又は、外周側は平板状）、中央側から第１突起８ｂまでは第１の実施形態の線Ｌ１よりも湾曲するキーシートを、第１の実施形態の第１突起８ｂ及び第２突起２７ｂにより挟み込む。この場合、第１突起８ｂの下方への力と、キーシート中央側におけるＦＰＣ２８からの反力とにより、中央側の湾曲が線Ｌ１の位置まで矯正されて、第２の実施形態のように、キーシートのキートップが設けられる領域をＦＰＣ２８に押し付ける復元力が生じる。そして、第１突起８ｂにより湾曲が矯正された状態では第１突起８ｂよりも外周側は線Ｌ１よりも下方に位置しようとするが、第２突起２７ｂにより上方の力が付与され、当該上方への力は、第１の実施形態のように、第１突起８ｂを支点としてキーシートのキートップが設けられる領域をＦＰＣ２８に押し付ける力になり（曲げモーメントＭ１が付与され）、キーシートをＦＰＣ２８に押し付ける力が増加する。従って、より確実にキートップの浮き上がりを防止可能である。
【図面の簡単な説明】
【００９３】
【図１】本発明の第１の実施形態の携帯電話機を開状態で示す外観斜視図。
【図２】図１の携帯電話機を閉状態で示す外観斜視図。
【図３】図１の携帯電話機の送話筐体内部の概略構成を示す分解斜視図。
【図４】図３のキーアセンブリを示す斜視図。
【図５】図３のキーアセンブリの分解斜視図。
【図６】図１のＶＩ−ＶＩ線矢視方向における断面図。
【図７】本発明の第２の実施形態に係る携帯電話機の断面図。
【図８】本発明のキーアセンブリの変形例を示す図。
【符号の説明】
【００９４】
１…携帯電話機（携帯電子機器）、３…送話筐体、８ａ…開口部、２４…キーシート、２６…キー基板、３１…押圧スイッチ。
【図１】
0004743701.tif 000002
【図２】
0004743701.tif 000003
【図３】
0004743701.tif 000004
【図４】
0004743701.tif 000005
【図５】
0004743701.tif 000006
【図６】
0004743701.tif 000007
【図７】
0004743701.tif 000008
【図８】
0004743701.tif 000009